(57)【要約】【課題】粒状体（９）が正常に投下されているか否かを容易にかつ確実に確認できる繰出装置（１）を低コストで提供する。【解決手段】施肥播種機等（１００）に搭載され、繰出ケース（２）と、該繰出ケース（２）に収納され、外面に形成された搬送孔（４）に種子、肥料、薬剤等の粒状体（９）を入れて回転することにより、粒状体（９）を一定量ずつ搬送して繰り出す繰出回転体（３）と、を具備する繰出装置（１）であって、繰出ケース（２）の全体又は一部を透明材料又は半透明材料で構成し、繰出ケース（２）の外側から繰出回転体（３）の全体又は一部を目視可能とするとともに、繰出回転体（３）の目視可能な部位に回転方向に非一様な色彩を設けたことを特徴とする繰出装置（１）を提供する。【選択図】図２
2007037495.tif 000002
【特許請求の範囲】
【請求項１】
繰出ケースと、
該繰出ケースに収納され、外面に形成された搬送孔に粒状体を入れて回転することにより、前記粒状体を一定量ずつ搬送して繰り出す繰出回転体と、を具備する繰出装置であって、
前記繰出ケースの全体又は一部を透明材料又は半透明材料で構成し、該繰出ケースの外側から前記繰出回転体の全体又は一部を目視可能とするとともに、前記繰出回転体の目視可能な部位に回転方向に非一様な色彩を設けたことを特徴とする繰出装置。
【請求項２】
繰出ケースと、
該繰出ケースに収納され、外面に形成された搬送孔に粒状体を入れて回転することにより、前記粒状体を一定量ずつ搬送して繰り出す繰出回転体と、を具備する繰出装置であって、
前記繰出ケースの側面又は前後面に開口部を設けて、該繰出ケースの外側から前記繰出回転体の全体又は一部を目視可能とするとともに、前記繰出回転体の目視可能な部位に回転方向に非一様な色彩を設けたことを特徴とする繰出装置。
【請求項３】
前記繰出回転体の目視可能な外面のうち少なくとも一面を回転方向に複数のエリアに分割し、各エリアを隣り合うエリアと異なる色で彩色した、請求項１又は２に記載の繰出装置。
【発明の詳細な説明】
【技術分野】
【０００１】
本発明は、施肥播種機等に搭載される繰出装置の技術に関する。
【背景技術】
【０００２】
従来、施肥播種機等に搭載され、ホッパー等に充填された種子、肥料、薬剤等の粒状体を一定量ずつ繰り出す繰出装置であって、種子等が正しく繰り出されているかどうかを作業をしながら確認できるように、センサにより常時、種子等の投下状況を監視する機構を備えた繰出装置は公知となっている（特許文献１参照）。
繰出装置においては、繰出回転体とその駆動源となる駆動車輪や駆動モータとの間の動力伝達機構の不具合等のために、繰出回転体が正常に回転しないことがある。繰出装置の中には、繰出ケースが透明材料又は半透明材料で製作されて繰出回転体が繰出ケースの外から目視できるものがあるが、繰出装置の傍まで近づいて見ないかぎり繰出回転体の回転の様子まで明確に視認するのは容易ではない。また、一般的な施肥播種機等では、作溝機で掘った溝に繰出装置から種子や肥料等を投下すると、すぐに覆土機で溝を埋めるので、種子や肥料等がどれだけ播かれたかを直接確認することも困難である。そのために、特許文献１に開示される繰出装置においては、センサにより常時、繰出装置から投下される粒状体を検出して、繰出装置の作動状況を監視できるようにしているのである。
【特許文献１】特開２０００−２７９００５号公報
【発明の開示】
【発明が解決しようとする課題】
【０００３】
しかし、センサを設ける繰出装置においては、センサのほか、表示器、警告音装置、有線或いは無線通信手段等を設けなければならず、構成が複雑になり、高価になる。また、監視機構自体が故障等によって正常に作動しない場合もある。
そこで、本発明においては、種子等の粒状体が正常に投下されているか否かを容易にかつ確実に確認できる繰出装置を低コストで提供することを目的とする。
【課題を解決するための手段】
【０００４】
本発明の解決しようとする課題は以上の如くであり、次にこの課題を解決するための手段を説明する。
【０００５】
即ち、請求項１においては、
繰出ケースと、
該繰出ケースに収納され、外面に形成された搬送孔に粒状体を入れて回転することにより、前記粒状体を一定量ずつ搬送して繰り出す繰出回転体と、を具備する繰出装置であって、
前記繰出ケースの全体又は一部を透明材料又は半透明材料で構成し、該繰出ケースの外側から前記繰出回転体の全体又は一部を目視可能とするとともに、前記繰出回転体の目視可能な部位に回転方向に非一様な色彩を設けたことを特徴とする繰出装置を提供する。
なお、本出願における繰出回転体とは、回転して粒状体の繰り出しを直接行う繰出部（たとえば、ロール、目皿等）に加えて、繰出部とともに一体的に回転する部品（たとえば、ギア、スライドロールの孔幅調節ダイアル等）をも含めて定義されるものである。
【０００６】
請求項２においては、
繰出ケースと、
該繰出ケースに収納され、外面に形成された搬送孔に粒状体を入れて回転することにより、前記粒状体を一定量ずつ搬送して繰り出す繰出回転体と、を具備する繰出装置であって、
前記繰出ケースの側面又は前後面に開口部を設けて、該繰出ケースの外側から前記繰出回転体の全体又は一部を目視可能とするとともに、前記繰出回転体の目視可能な部位に回転方向に非一様な色彩を設けたことを特徴とする繰出装置を提供する。
【０００７】
請求項３においては、前記繰出回転体の目視可能な外面のうち少なくとも一面を回転方向に複数のエリアに分割し、各エリアを隣り合うエリアと異なる色で彩色した繰出装置を提供する。
【発明の効果】
【０００８】
本発明の効果として、以下に示すような効果を奏する。
【０００９】
請求項１においては、繰出回転体に施した色彩の動きを繰出ケースの外側から見ることにより、繰出回転体の回転状況を明確に確認することができる。すなわち、種子等の粒状体が正確に投下されているか否かを容易に確実に確認することができる。繰出ケースを透明材料又は半透明材料で構成し、繰出回転体に彩色を施すだけで済むので、センサ等の高価な部品を別に設ける必要がなく、低コストで実現できる。
【００１０】
請求項２においては、繰出回転体に施した色彩の動きを繰出ケースの外側から見ることにより、繰出回転体の回転状況を明確に確認することができる。すなわち、種子等の粒状体が正確に投下されているか否かを容易に確実に確認することができる。繰出ケースに開口部を設け、繰出回転体に彩色を施すだけですむので、センサ等の高価な部品を別に設ける必要がなく、低コストで実現できる。
【００１１】
請求項３においては、繰出回転体の外面に単純な模様の彩色を施すことによって、視覚的によりはっきりと繰出回転体の回転状況を確認することができる。
【発明を実施するための最良の形態】
【００１２】
次に、発明の実施の形態を説明する。
【実施例１】
【００１３】
本発明に係る繰出装置の実施例１として、播種機に搭載されるロールタイプの繰出装置の例を示す。
図１は本発明に係る繰出装置を搭載した播種機の全体的な構成を示した側面図である。図２は本発明に係る繰出装置を示した図である。
【００１４】
まず、本実施例に係る播種機１００の全体構成を説明する。
図１に示すように、本実施例に係る播種機１００はトラクター等で牽引する牽引型播種機である。なお、紙面左側が播種機１００の進行方向である。播種機１００は、車体フレーム２０の前後方向略中央部にホッパー１９を備え、その直下に本発明に係る繰出装置１を搭載している。
車体フレーム２０の最前部に接地輪２４が設けられている。また、車体フレーム２０腹部において、繰出装置１の繰出口１０の前後にそれぞれ作溝器２７及び覆土器２８が設けられている。車体フレーム２０の最後部には鎮圧ローラ２９が設けられている。
車体フレーム２０の最前部にはブラケット部が立設され、該ブラケット部の上端に連結装置２１が設けられている。連結装置２１の先端部の取付具２２を、トラクター等の最後部に設けられているツールバーに装着することにより、播種機１００はトラクター等に連結され牽引される。
【００１５】
図２（ａ）は繰出装置１を側方から見た図である。紙面左側が播種機１００の進行方向である。図２（ｂ）は繰出回転体３の外周面を見た図である。図２（ａ）、（ｂ）に示すように、繰出装置１の繰出回転体３は円筒状のロールタイプである。繰出回転体３の外周面には複数（本実施例では６箇所）の搬送孔４・４・・・が等間隔に形成されている。回転軸５上に繰出回転体３の軸心部が取り付けられている。回転軸５の一端からはチェーン式の動力伝達機構を介して接地輪２４と連動している。播種機１００が牽引されると接地輪２４が回転し、繰出回転体３が紙面上において左回りに回転する。
【００１６】
図２（ａ）に示すように、繰出ケース２は略箱型形状である。上面は開口しており、ホッパー１９の底部と連通される。繰出ケース２の内部は繰出回転体３を挟んで上室７と下室８に区画されている。上室７にはホッパー１９から粒状体９（本実施例では種子）が供給される。
上室７において、搬送孔４・４・・・に粒状体９が入り、繰出回転体３が回転すると、搬送孔４・４・・・に入った粒状体９は下室８に搬送されて、繰出ケース２底部に設けられた繰出口１０より投下される。なお、上室７内の一端にはブラシ６が設けらており、搬送孔４・４・・・からあふれた粒状体９を掻き取り、常に一定量の粒状体９が搬送されるようにしている。
繰出回転体３は接地輪２４の回転速度に応じた速度で回転するので、距離あたり播かれる粒状体９の量は一定である。
図１に示すように、播種機１００が牽引されて前進すると、作溝器２７によって地面に溝が掘られる。次に、掘られた溝に繰出装置１から種子９が投下される。そして、覆土器２８で溝に再び土が被せられ、最後に鎮圧ローラ２９で踏み固められる。
【００１７】
次に、本発明に係る繰出装置１の特徴について詳述する。
【００１８】
図２（ａ）、（ｂ）に示すように、本実施例に係る繰出装置１は、繰出ケース２と、該繰出ケース２に収納され、外面に形成された搬送孔４・４・・・に粒状体９（本実施例では種子）を入れて回転することにより、粒状体９を一定量ずつ搬送して繰り出す繰出回転体３と、を具備する繰出装置であって、繰出ケース２の全体を透明材料で構成し、繰出ケース２の外側から繰出回転体３を目視可能とするとともに、繰出回転体３の目視可能な部位に回転方向に非一様な色彩を設けている。
【００１９】
図２（ａ）に示すように、本実施例においては、繰出ケース２の全体を透明材料で構成することにより、繰出回転体３の側面を繰出ケース２の外から目視することができる。また、車両後方からは繰出回転体３の外周面下部を目視することができる。
【００２０】
そして、図２（ａ）に示すように、繰出回転体３の両側面を回転方向に複数のエリアに分割し、各エリアを隣り合うエリアと異なる色で彩色している。
より具体的には、繰出回転体３の両側面部を回転方向に１２のエリアに等分割し、二色を用いて各エリアを交互に彩色している（たとえば黒と黄色により所定角度毎に略扇形のエリアを交互に色分けする）。これにより、側方遠方からでも、繰出ケース２内での繰出回転体３の回転状況を一目で確認することができる。なお、繰出回転体３の一側面のみに彩色を施す構成でもよい。
【００２１】
さらに、図２（ｂ）に示すように、繰出回転体３の外周面を回転方向に複数のエリアに分割し、各エリアを隣り合うエリアと異なる色で彩色してもよい。
より具体的には、繰出回転体３の外周面を側面部と同様に回転方向に１２のエリアに当分割し、二色を用いて各エリアを交互に彩色している。つまり、外周面を縞模様としている。これにより、後方遠方からでも繰出ケース２内での繰出回転体３の回転状況を一目で確認することができる。
使い勝手により、図２（ａ）、（ｂ）に示したような彩色方法を自由に組み合わせて用いればよい。
【００２２】
なお、本実施例においては、繰出ケース２全体を透明材料で構成したが、繰出ケース２の一部のみを透明材料で構成してもよい。また、繰出ケース２内部に繰出回転体３を遮蔽する部品がある場合は、繰出ケース２及び該繰出ケース２内部の部品の全体又は一部を透明材料で構成してもよい。また、完全な透明材料でなく、半透明性の材料を用いてもよい。
また、繰出ケース２を透明材料で構成する替わりに、繰出ケース２の側面又は前後面における繰出駆動部や粒状体の搬送に影響を与えない部分に開口部を設けて、中の繰出回転体３の一部を目視できるように構成することもできる。いずれにせよ、繰出ケース２の外から繰出回転体３の全体又は一部が目視できる構造であればよく、上記の構造に限定されるものではない。
【００２３】
また、上述の繰出回転体３の彩色方法はあくまでも一例である。上述の方法と類似した方法ならば、繰出回転体３の外から目視できる部位を有する面のうち、少なくとも一面を回転方向に複数のエリアに分割し、各エリアを隣り合うエリアと異なる色で彩色したものであればよい。
他にも、繰出回転体３の側面又は外周面の一箇所だけスポット的に彩色したり、側面に渦巻き模様を彩色するなど、多様な彩色方法がある。また、蛍光塗料等を用いて、昼間でなくても目立つように彩色することもできる。このように、色の種類、色数、彩色部位、彩色形状等は実施例に限定されない。
また、色彩による替わりに、繰出回転体３を回転方向に非一様な形状を有するように構成しても同様に視認効果を高めることができる。
【００２４】
また、本実施例では本発明の繰出装置を牽引型播種機に搭載する例を示したが、その他、手押し型、固定型の播種機等、あらゆるタイプの播種機、施肥播種器等に搭載することができる。
【実施例２】
【００２５】
次に、本発明に係る繰出装置の実施例２として、施肥播種機に搭載される、スライドロールタイプの繰出装置の例を示す。スライドロールタイプの繰出装置は、溝状の凹部を外周面に形成した略円筒状の本体ロールと、凸部を形成した略円筒状の嵌合ロールとを備え、本体ロールの凹部に嵌合ロールの凸部をはめて該凹部を部分的に塞ぐことにより該凹部の塞がれていない部分を搬送孔とし、本体ロールに対して嵌合ロールをスライドさせて搬送孔の幅を調節するものである。
図３は二種の繰出装置を搭載した施肥播種機の全体的な構成を示した一部断面側面図である。図４は繰出回転体の構成を示した図である。図５は繰出装置の断面側面図である。図６は繰出装置の背面図である。
【００２６】
まず、図３に示すように、本実施例に係る施肥播種機２００は、トラクター等で牽引する牽引型施肥播種機である。紙面左側が施肥播種機２００の進行方向である。施肥播種機２００は、施肥装置３１と播種装置４１とを搭載している。前方の施肥装置３１は本発明に係るスライドロールタイプの繰出装置２０１を備えている。一方、後方の播種装置４１は本発明に係る目皿タイプの繰出装置３０１を備えている。
【００２７】
施肥装置３１はメインフレームの前方上部に設けられている。施肥装置３１は肥料ホッパー３２を有する。肥料ホッパー３２の直下に繰出装置２０１が設けられている。繰出装置２０１の下には肥料繰出パイプ３３が接続されている。
播種装置４１はメインフレームの前後方向略中央部に設けられている。播種装置４１は種子ホッパー４２を有する。種子ホッパー４２の直下に繰り出し装置３０１が設けられている。繰出装置３０１の下には種子繰出パイプ４３が接続されている。
【００２８】
メインフレーム前部の施肥装置３１下方に作溝器３５が設けられている。その後方に覆土器３６が設けられている。さらにその後方に鎮圧ローラ３７が設けられている。鎮圧ローラ３７の略右側に接地輪３８が設けられている。接地輪３８はチェーン連動機構を介して施肥装置３１の繰出回転体２０３と連動している。また、鎮圧ローラ３７はチェーン連動機構を介して播種装置４１の繰出回転体３０３と連動している。メインフレームの最前部にはトラクター等と連結するための連結装置３９が設けられている。
本実施例に係る施肥播種機２００の施肥播種作業の過程は実施例１に係る播種機１００とほぼ同じなので説明を省略する。
【００２９】
次に、本実施例に係るスライドロールタイプの繰出装置２０１の構成について説明する。
本実施例に係る繰出装置２０１は上述したスライドロールタイプの一例である。
図５に示すように、繰出装置２０１においては、上面の開口した略箱型の繰出ケース２０２に繰出回転体２０３を収納している。繰出ケース２０２は、実施例１と同様に、全体が合成樹脂等の透明材料で作られており、外から繰出回転体２０３の側面全体及び外周面の一部を目視できる。
【００３０】
図４（ａ）に示すように、繰出回転体２０３は、本体ロール２１１、第一嵌合ロール２１２、第二嵌合ロール２１３、及び調節ダイヤル２１４により構成される。
本体ロール２１１においては、略円筒状の本体の外面に、軸方向に溝状の凹部２１５・２１５・・・が複数本（本実施例では８本）形成されている。第一嵌合ロール２１２と第二嵌合ロール２１３は、本体ロール２１１の凹部２１５・２１５・・・に適合する形状の凸部２１６・２１６・・・をそれぞれ４本ずつ有する。図２（ａ）に示すように、第一嵌合ロールと第二嵌合ロールは一体的に組み合わせて用いられる。
第二嵌合ロール２１３の底部にはさらに両嵌合ロール２１２・２１３の位置を調節するための調節ダイヤル２１４がネジ等により固定される。
【００３１】
図２（ｂ）に示すように、繰出回転体２０３においては、両嵌合ロール２１２・２１３の計８本の凸部２１６・２１６・・・を本体ロール２１１の凹部２１５・２１５・・・にはめて部分的に塞ぎ、凹部２１５・２１５・・・の塞がれないで残った部分を粒状体の搬送孔２０４・２０４・・・として使う。調節ダイヤル２１４を回すことにより、第一嵌合ロール２１２及び第二嵌合ロール２１３をそれぞれ独立にスライドさせることができる。これにより、搬送孔２０４・２０４・・・の幅を変えて粒状体の繰り出し量を調節することができる。
【００３２】
次に、繰出回転体２０３の本発明に係る特徴を説明する。
図４（ａ）に示すように、本実施例においては、第一嵌合ロール２１２及び第二嵌合ロール２１３を本体ロール２１１と異なる色で彩色している。たとえば、本体ロール２１１を白、両嵌合ロール２１２・２１３を黒で彩色する。こうすると、図４（ｂ）に示すように、両嵌合ロール２１２・２１３を本体ロール２１１にはめ込んだとき、繰出回転体２０３の回転方向に白、黒と交互に彩色された縞模様の部分ができる。また、図４（ａ）に示すように、調節ダイヤル２１４の外周面も回転方向に複数のエリアに分割して、二色を用いて各エリアを交互に彩色している。これにより、図６に示すように、繰出回転体２０３の回転状況を施肥装置３１（繰出装置２０１）の後方から容易に視認できる。
【００３３】
また、図４（ｃ）に示すように、繰出回転体２０３の側面部を成す調節ダイヤル２１４のダイヤル面も、縁部を回転方向に複数のエリアに分割して、二色で交互に彩色している。さらに、繰出回転体２０３の反対側の側面部を成す本体ロール２１１の底面（図示せず）も、図２（ａ）に示すのと同様な彩色を施している。これにより、図３、５に示すように、繰出回転体２０３の回転状況を施肥装置３１（繰出装置２０１）の側方から容易に確認することができる。
なお、スライドロールタイプの繰出装置２０１が粒状体を繰り出す機構は、実施例１に示したロールタイプのものとほぼ同じなので説明を省略する。
【００３４】
なお、実施例１で説明したのと同様に、繰出ケース２０２は一部のみ透明材料を用いたり、開口部を設けたりする構成としてもよい。また、繰出回転体２０３の彩色方法も本実施例に示した方法に限定されるものではなく、様々な方法を用いることができる。
また、本実施例では本発明の繰出装置を牽引型施肥播種機に搭載する例を示したが、その他、手押し型、固定型の播種機等、あらゆるタイプの播種機、施肥播種機等に搭載することができる。
【実施例３】
【００３５】
次に、本発明に係る繰出装置の実施例３として、実施例２に係る施肥播種機２００の搭載する目皿タイプの繰出装置３０１について説明する。目皿タイプの繰出装置は、表裏に貫通する搬送孔が形成された円盤状の繰出回転体を用いるものである。
図７は目皿タイプの繰出装置の構成を示した斜視図である。
【００３６】
本実施例に係る繰出装置３０１は上述のような目皿タイプの一例である。
図７に示すように、繰出装置３０１においては、繰出ケース３０２に円盤状の繰出回転体３０３を収納する。
繰出ケース３０２は繰出回転体３０３を収納する円孔状の繰出回転体収納部３１５を有している。収納部３１５の中央部に回転軸３０５が設けられており、該回転軸３０５に繰出回転体３０３が装着される。収納部３１５の底面前部には繰出口３１０が設けられている。
【００３７】
繰出ケース３０２は、実施例１と同様に、全体が合成樹脂等の透明材料で作られており、人の目の高さからは全方向から繰出回転体３０３の外周面を目視することができる。
【００３８】
繰出回転体３０３は円盤状であり、回転方向に等間隔に２つ一組の搬送孔３０４・３０４・・・が形成されている。搬送孔３０４・３０４・・・は繰出回転体３０３を表裏に貫通して形成されている。
粒状体９（実施例２おいては種子）は、繰出装置３０１の上の種子ホッパー４２から供給される（図３参照）。粒状体９の一部は繰出回転体３０３の搬送孔３０４・３０４・・・に入る。
【００３９】
繰出回転体３０３は繰出回転体収納部３１５の底面に対して粒状体９の粒径以下の距離でもって近接して装着される。したがって、繰出回転体３０３が回転すると、粒状体９は、搬送孔３０４・３０４・・・から下に漏れることなく繰出口３１０まで搬送されて投下される。
なお、ブラシ３０９によって搬送孔３０４・３０４・・・からあふれている粒状体９を除くことにより、常に一定量の粒状体９を搬送するようにしている。
【００４０】
次に繰出回転体３０３の本発明に係る特徴について説明する。
図３、７に示すように、繰出回転体３０３は、繰出ケース３０２の外から目視できる外周面を等間隔に複数のエリアに分割し、二色を用いて各エリアを交互に彩色している。これにより、側方からも前後方からも繰出回転体３０３の回転状況を一目で容易に確認することができる。
なお、実施例１で説明したのと同様に、繰出ケース３０２は一部のみ透明材料を用いたり、開口部を設けたりする構成としてもよい。また、繰出回転体３０３の彩色方法も本実施例に示した方法に限定されるものではなく、様々な方法を用いることができる。
また、本実施例では本発明の繰出装置を牽引型施肥播種機に搭載する例を示したが、その他、手押し型、固定型の播種機等、あらゆるタイプの播種機、施肥播種機等に搭載することができる。
【実施例４】
【００４１】
次に、本発明に係る繰出装置の実施例４として、前後又は左右一対の繰出装置を備え、一方の繰出装置に伝えた動力を他方の繰出装置に連動ギアを介して伝えるロールタイプの繰出装置について説明する。
図８は連動ギアを有するロールタイプの繰出装置の構成を示した斜視図である。図９は連動ギアにより駆動連結した繰出装置を示した図である。
【００４２】
図８（ａ）に示すように、本実施例に係る繰出装置４０１の繰出回転体４０３は、図４に示したようなスライドロールに、２台の繰出装置４０１を連動させるための連動ギア４２０を取り付けて構成されている。
繰出装置４０１は繰出ケース４０２に繰出回転体４０３を収納して構成される。
図８（ａ）、（ｂ）に示すように、繰出ケース４０２は、ケース本体４１９にギア室カバー４１８を結合して構成される。図８（ｂ）に示すように、繰出回転体４０３のスライドロール部４２１はケース本体４１９のロール室４１７に収納される。一方、連動ギア４２０は、ギア室カバー４１８とケース本体４１９との間にできるギア室４１６に収納される。ギア室４１６とロール室４１７とは壁によって区画されている。図８（ｂ）に示すように、連動ギア４２０の歯車の一部はギア室４１６から外へはみ出ている。
【００４３】
繰出装置４０１を搭載する例として、図９に示すような、前側に施肥装置４１３、後側に播種装置４１４を並べて配置する施肥播種機について説明する。なお、紙面左側が施肥播種機の前方側、紙面右側が後方側である。
施肥装置４１３においては、肥料ホッパー４２３の下に繰出装置４０１が配置されている。播種装置４１４においては、種子ホッパー４２４の下に繰出装置４０１が配置されている。両繰出装置４０１・４０１は互いに略前後逆に構成されており、ギア室４１６から前後方向にはみ出た部位で連動ギア４２０・４２０同士がかみ合っている。施肥装置４１３の繰出回転体４０３は施肥播種機の接地輪等と連動して駆動される。播種装置４１４の繰出回転体４０３は、連動ギア４２０・４２０を介して施肥装置４１３の繰出回転体４０３から駆動力を伝達される。
【００４４】
次に、繰出装置４０１における本発明に係る特徴について説明する。
図８（ａ）、（ｂ）に示すように、本実施例においては、繰出ケース４０２の最外面に位置するギア室カバー４１８を透明材料で製作して、外からギア室カバー４１８越しに連動ギア４２０の一方の側面及び外周面が目視できるように構成している。
そして、連動ギア４２０の側面の縁部側を、各ギア歯の位置に応じて複数のエリアに等分割し、二色を用いて各エリアを交互に彩色している。また、連動ギア４２０の外周面においても、二色を用いて各ギア歯の先端面を交互に彩色している。これにより、連動ギア４２０の回転を繰出ケース４０２の外から明確に視認することができる。
連動ギア４２０は回転軸４０５を介してスライドロール部４２１と一体的に回転するので、連動ギア４２０の色彩の動きを見ることにより、繰出回転体４０３の回転状況を遠方からでも容易に確認することができる。なお、繰出ケース４０２全体、あるいは別の部位を透明材料で製作してもよい。また、スライドロール部４２１に彩色を施してもよい。繰出回転体４０３の彩色方法は本実施例に示した方法に限定されるものではなく、実施例１で説明したように、他にも様々な方法を用いることができる。
また、本実施例の繰出装置は、牽引型、手押し型、固定型等、あらゆるタイプの播種機、施肥播種機等に搭載することができる。
【００４５】
以上に本発明に係る繰出装置の実施例を示した。なお、本発明に係る繰出装置は、上述した構成のものに限らず、本発明を特徴付ける思想に基づいて自由に構成できることは当業者によって容易に理解できよう。
【産業上の利用可能性】
【００４６】
本発明に係る繰出装置は、施肥播種機等に搭載される播種装置、施肥装置、薬剤散布装置等に汎用的に適用することができる。
【図面の簡単な説明】
【００４７】
【図１】繰出装置を搭載した播種機の全体的な構成を示した側面図。
【図２】繰出装置の構成を示した図。
【図３】二種の繰出装置を搭載した施肥播種機の全体的な構成を示した一部断面側面図。
【図４】スライドロールタイプの繰出回転体の構成を示した図。
【図５】スライドロールタイプの繰出装置の断面側面図。
【図６】スライドロールタイプの繰出装置の背面図。
【図７】目皿タイプの繰出装置の構成を示した斜視図。
【図８】連動ギアを有するスライドロールタイプの繰出装置の構成を示した斜視図。
【図９】連動ギアにより駆動連結した繰出装置を示した図である。
【符号の説明】
【００４８】
１    繰出装置
２    繰出ケース
３    繰出回転体
４    搬送孔
５    回転軸
６    ブラシ
７    上室
８    下室
９    粒状体
１０    繰出口
【図１】
2007037495.tif 000003
【図２】
2007037495.tif 000004
【図３】
2007037495.tif 000005
【図４】
2007037495.tif 000006
【図５】
2007037495.tif 000007
【図６】
2007037495.tif 000008
【図７】
2007037495.tif 000009
【図８】
2007037495.tif 000010
【図９】
2007037495.tif 000011